(57)【要約】  制御部(1)は、原稿の第１面を読み取って得られた第１読取画像データに基づき、第１面の副走査方向のサイズ（第１副走査サイズ）を求める。制御部は、原稿の第２面を読み取って得られた第２読取画像データに基づき、第２面の副走査方向のサイズ（第２副走査サイズ）を求める。制御部は、第１副走査サイズと第２副走査方向サイズのうち、大きい方をセットされた原稿の副走査方向のサイズである確定副走査サイズ(S1)と判定する。
2020080242.tif 000002
【特許請求の範囲】
【請求項１】
読み取る原稿が置かれる原稿台と、前記原稿台に向けて光を照射する光源と、前記光源からの光に基づき読み取りを行うイメージセンサーを含む画像読取部と、
前記原稿台に置かれた前記原稿を押さえる押さえ板を含み、開閉可能な原稿押さえ部と、
読み取りモードの選択を受け付ける操作パネルと、
前記イメージセンサーが出力するアナログ画像信号に基づき画像データを生成する画像データ生成部と、
前記画像データ生成部が生成した前記画像データに基づき、前記原稿台に置かれた前記原稿のサイズを判定する制御部と、を含み、
前記読み取りモードとして、特別な原稿の両面を読み取る両面特別モードが選択されている場合、
前記制御部は、
前記原稿の一方の面である第１面を読み取って得られた第１読取画像データに基づき、前記第１面の副走査方向のサイズである第１副走査サイズを求め、
前記原稿の他方の面である第２面を読み取って得られた第２読取画像データに基づき、前記第２面の副走査方向のサイズである第２副走査サイズを求め、
求めた前記第１副走査サイズと求めた前記第２副走査方向サイズのうち、大きい方を前記原稿台にセットされた前記原稿の副走査方向のサイズである確定副走査サイズと判定することを特徴とする画像読取装置。
【請求項２】
前記原稿押さえ部の回転軸は、前記画像読取部を正面から見て、奥側に設けられ、
前記原稿押さえ部は、開閉したとき、正面側が振られ、
前記制御部は、
前記第１読取画像データのうち、前記原稿台の予め定められた判定用エリアに対応する特定エリアに含まれる画素の画素値に基づき、前記第１副走査サイズを求め、
前記第２読取画像データのうち、前記原稿台の前記判定用エリアに対応する前記特定エリアに含まれる画素の画素値に基づき、前記第２副走査サイズを求め、
前記判定用エリアは、
副走査方向を長手方向とする短冊形状であり、
主走査方向の幅は予め定められており、
前記画像読取部を正面から見たときの前記原稿台の奥側の副走査方向の端を含むエリアであることを特徴とする請求項１に記載の画像読取装置。
【請求項３】
前記読み取りモードとして、前記両面特別モードが選択されている場合、
前記操作パネルは、
前記第１面の全体の読取開始指示である第１読取指示を受け付け、
前記第１読取指示に基づく前記第１面の全体の読み取り後、前記第２面の全体の読取開始指示である第２読取指示を受け付け、
前記制御部は、
前記第１読取指示に基づく前記第１面の全体の読み取りの開始前、及び、前記第１面の全体の読み取り後、前記第２読取指示前、前記画像読取部の読取ラインの位置を予め定められた検知用位置とし、
前記第１読取指示に基づく前記第１面の全体の読み取りの開始前の読み取りで得られた第１検知用画像データに基づき、前記第１面の主走査方向のサイズである第１主走査サイズを求め、
前記第１面の全体の読み取り後、前記第２面の全体の読み取りの開始前の読み取りで得られた第２検知用画像データに基づき、前記第２面の主走査方向のサイズである第２主走査サイズを求め、
前記第１主走査サイズと前記第２主走査方向サイズのうち、大きい方を前記原稿台にセットされた前記原稿の主走査方向のサイズである確定主走査サイズと判定することを特徴とする請求項１に記載の画像読取装置。
【請求項４】
前記原稿押さえ部が所定角度以上開いていること、及び、前記原稿押さえ部が前記所定角度未満となるまで閉じられたことを検知する第１開閉検知部を含み、
前記制御部は、
前記第１読取指示に基づく前記第１面の全体の読み取りの開始前、前記第１開閉検知部の出力に基づき前記原稿押さえ部が前記所定角度以上開いていることを認識したとき、前記光源を点灯させずに前記画像読取部に読み取りを行わせ、
前記原稿押さえ部が前記所定角度以上開いているときの読み取りで得られた前記第１検知用画像データに基づき、前記第１面の主走査方向のサイズの推定値である第１推定サイズを求め、
前記操作パネルが前記第１読取指示を受け付けたとき、前記読取ラインの位置が前記検知用位置にある状態で、前記光源を点灯させて前記画像読取部に読み取りを行わせ、
前記操作パネルが前記第１読取指示を受け付けたときの読み取りで得られた前記第１検知用画像データに基づき、前記第１面の主走査方向のサイズの推定値である第２推定サイズを求め、
前記原稿押さえ部が前記所定角度以上開いた後、前記第１読取指示までに一度も前記原稿押さえ部が前記所定角度未満とならずに前記第１読取指示がなされた場合、前記第１推定サイズと前記第２推定サイズのうち、小さい方を前記第１主走査サイズと定めることを特徴とする請求項３に記載の画像読取装置。
【請求項５】
前記原稿押さえ部が完全に閉じられたことを検知する第２開閉検知部を含み、
前記制御部は、
前記第１開閉検知部の出力に基づき前記原稿押さえ部が前記所定角度未満となるまで閉じられたことを前記第１読取指示前に認識したとき、前記光源を点灯させて前記画像読取部に読み取りを行わせ、
前記原稿押さえ部が前記所定角度未満となるまで閉じられたときの読み取りで得られた前記第１検知用画像データに基づき、前記第１面の主走査方向のサイズの推定値である第３推定サイズを求め、
前記原稿押さえ部が前記所定角度未満となるまで閉じられているが、前記原稿押さえ部が完全に閉じられないで前記第１読取指示がなされたとき、前記第１推定サイズと前記第３推定サイズのうち、小さい方を前記第１主走査サイズと定めることを特徴とする請求項４に記載の画像読取装置。
【請求項６】
前記制御部は、
前記第２開閉検知部の出力に基づき前記原稿押さえ部が完全に閉じられたことを前記第１読取指示前に認識したとき、前記光源を点灯させて前記画像読取部に読み取りを行わせ、
前記原稿押さえ部が完全に閉じられたときの読み取りで得られた前記第１検知用画像データに基づき前記第１面の主走査方向のサイズの推定値である第４推定サイズを求め、
前記第４推定サイズと、前記第１推定サイズと前記第３推定サイズのうちの小さい方のサイズと、のうち、大きい方を前記第１主走査サイズと定めることを特徴とする請求項５に記載の画像読取装置。
【請求項７】
前記原稿押さえ部が所定角度以上開いていること、及び、前記原稿押さえ部が前記所定角度未満となるまで閉じられたことを検知する第１開閉検知部を含み、
前記制御部は、
前記第１読取指示に基づく前記第１面の全体の読み取り後、前記第１開閉検知部の出力に基づき前記原稿押さえ部が前記所定角度以上開いていることを前記第２読取指示前に認識したとき、前記光源を点灯させずに前記画像読取部に読み取りを行わせ、
前記原稿押さえ部が前記所定角度以上開いているときの読み取りで得られた前記第２検知用画像データに基づき、前記第２面の主走査方向のサイズの推定値である第５推定サイズを求め、
前記操作パネルが前記第２読取指示を受け付けたとき、前記読取ラインの位置が前記検知用位置にある状態で、前記光源を点灯させて前記画像読取部に読み取りを行わせ、
前記操作パネルが前記第２読取指示を受け付けたときの読み取りで得られた前記第２検知用画像データに基づき、前記第２面の主走査方向のサイズの推定値である第６推定サイズを求め、
前記第１読取指示に基づく前記第１面の全体の読み取り後、前記原稿押さえ部が前記所定角度以上開いた後、一度も前記原稿押さえ部が前記所定角度未満とならずに前記第２読取指示がなされた場合、前記第５推定サイズと前記第６推定サイズのうち、小さい方を前記第２主走査サイズと定めることを特徴とする請求項３に記載の画像読取装置。
【請求項８】
前記原稿押さえ部が完全に閉じられたことを検知する第２開閉検知部を含み、
前記制御部は、
前記第１読取指示に基づく前記第１面の全体の読み取り後、前記第１開閉検知部の出力に基づき前記原稿押さえ部が前記所定角度未満となるまで閉じられたことを前記第２読取指示前に認識したとき、前記光源を点灯させて前記画像読取部に読み取りを行わせ、
前記原稿押さえ部が前記所定角度未満となるまで閉じられたときの読み取りで得られた前記第２検知用画像データに基づき、前記第２面の主走査方向のサイズの推定値である第７推定サイズを求め、
前記原稿押さえ部が前記所定角度未満となるまで閉じられているが、前記原稿押さえ部が完全に閉じられないで前記第２読取指示がなされたとき、前記第５推定サイズと前記第７推定サイズのうち、小さい方を前記第２主走査サイズと定めることを特徴とする請求項７に記載の画像読取装置。
【請求項９】
前記制御部は、
前記第１読取指示に基づく前記第１面の全体の読み取り後、前記第２開閉検知部の出力に基づき前記原稿押さえ部が完全に閉じられたことを前記第２読取指示前に認識したとき、前記光源を点灯させて前記画像読取部に読み取りを行わせ、
前記原稿押さえ部が完全に閉じられたときの読み取りで得られた前記第２検知用画像データに基づき、前記第２面の主走査方向のサイズの推定値である第８推定サイズを求め、
前記第８推定サイズと、前記第５推定サイズと前記第７推定サイズのうちの小さい方のサイズと、のうち、大きい方を前記第２主走査サイズと定めることを特徴とする請求項８に記載の画像読取装置。
【請求項１０】
出力用画像データに基づき出力を行う出力部を含み、
前記制御部は、
前記第１読取指示に基づき前記第１面の全体を読み取るとき、前記原稿台のうち特定領域の読み取りを前記画像読取部に行わせ、
前記特定領域の読み取りで得られた前記第１読取画像データから第１切り抜き画像データを抜き出し、
前記第２読取指示に基づき前記第２面の全体を読み取るとき、前記特定領域の読み取りを前記画像読取部に行わせ、
前記特定領域の読み取りで得られた前記第２読取画像データから第２切り抜き画像データを抜き出し、
前記第１切り抜き画像データと前記第２切り抜き画像データを１ページにまとめた前記出力用画像データを生成し、
前記出力用画像データに基づく出力を前記出力部に行わせ、
前記第１切り抜き画像データと前記第２切り抜き画像データの副走査方向のサイズは、前記確定副走査サイズであり、
前記第１切り抜き画像データと前記第２切り抜き画像データの主走査方向のサイズは、前記確定主走査サイズであることを特徴とする請求項３に記載の画像読取装置。
【請求項１１】
前記制御部は、
前記第１読取画像データから、前記原稿台の基準点に対応する画素を含むように、前記第１切り抜き画像データを抜き出し、
前記第２読取画像データから、前記原稿台の前記基準点に対応する画素を含むように、前記第２切り抜き画像データを抜き出し、
前記基準点は、前記画像読取部を正面から見て、前記原稿台の左奥隅であることを特徴とする請求項１０に記載の画像読取装置。
【請求項１２】
読み取る原稿が置かれる原稿台に向けて光を光源から照射すること、
前記光源からの光に基づきイメージセンサーを用いて読み取りを行うこと、
前記原稿台に置かれた前記原稿を押さえる押さえ板を含む原稿押さえ部を開閉可能とすること、
読み取りモードの選択を受け付けること、
前記イメージセンサーが出力するアナログ画像信号に基づき、画像データを生成すること、
生成した前記画像データに基づき、前記原稿台に置かれた前記原稿のサイズを判定すること、
前記読み取りモードとして、特別な原稿の両面を読み取る両面特別モードが選択されている場合、
前記原稿の一方の面である第１面を読み取って得られた第１読取画像データに基づき、前記第１面の副走査方向のサイズである第１副走査サイズを求めること、
前記原稿の他方の面である第２面を読み取って得られた第２読取画像データに基づき、前記第２面の副走査方向のサイズである第２副走査サイズを求めること、
求めた前記第１副走査サイズと求めた前記第２副走査方向サイズのうち、大きい方を前記原稿台にセットされた前記原稿の副走査方向のサイズである確定副走査サイズと判定すること、を含むことを特徴とする画像読取装置の制御方法。
【発明の詳細な説明】
【技術分野】
【０００１】
本発明はカードのような原稿を読み取るためのモードを有する画像読取装置に関する。
【背景技術】
【０００２】
画像読取装置は原稿を読み取る。画像読取装置を用いて、免許証やＩＤカードのようなカード型原稿を読み取ることがある。例えば、本人が手続を行った証明として、カード型原稿のコピーを申請書や申込書に添付することがある。そして、カード型原稿を読み取りやすくするための技術の一例が特許文献１に記載されている。【０００３】
具体的に、特許文献１には、原稿を載置する供給トレイ、原稿を供給する供給部、供給部から供給された原稿を読取る原稿読取手段、供給トレイの下方に配置され、原稿読取手段で読み取られた原稿を排出するための第１および第２の排出口、可撓性原稿用の搬送路であって可撓性原稿を搬送して第１の排出口を介して排出する第１の搬送路、不撓性原稿用の搬送路であって、不撓性原稿を搬送し第２の排出口を介して排出する第２の搬送路を備え、供給トレイは、第１の搬送路へ可撓性原稿を供給する第１の供給部と、第２の搬送路へ不撓性と原稿を供給する第２の供給部とを備えた原稿読取装置が記載されている。この構成により、視認性に優れた上方のトレイから普通紙とカードを給紙し、１つの読取部で両方の原稿を読み取れるようにしようとする（特許文献１：請求項１、段落［０００８］参照）。
【先行技術文献】
【特許文献】
【０００４】
【特許文献１】特開２０１６−１２７３８２号公報
【発明の概要】
【発明が解決しようとする課題】
【０００５】
画像読取装置では、カード型原稿や帳票のような特別な原稿を読み取るための専用モードが用意されることがある。この専用モードは、例えば、身分証明に用いられる小型の原稿の読み取りに用いられる。例えば、この専用モードは、ＩＤカード、クレジットカード、キャッシュカード、運転免許証、パスポートの読み取りに用いられる。例えば、ＩＤカード、クレジットカード、キャッシュカード、運転免許証、パスポートなどがカード型原稿に該当する。【０００６】
また、原稿をセットするコンタクトガラス（プラテンガラス）を含む画像読取装置がある。このような画像読取装置では、使用者がコンタクトガラス上に原稿をセットする。専用モードでの読み取りのときも、使用者は、コンタクトガラスにカード型原稿をセットする。画像読取装置は、原稿に光を照射する。画像読取装置は、反射光に基づき原稿を読み取る。【０００７】
そして、専用モードでは、読み取りで得られた画像データを原稿のサイズにあわせて加工することがある。この場合、セットされた原稿サイズの判定が行われる。カードのサイズは、種類によってまちまちである。また、専用モードでコンタクトガラスにセットされる原稿は、ＩＤカードやパスポートなど、様々である。専用モードでセットされる原稿のサイズは多様なので、用紙のＡ型やＢ型のような規格のサイズへの分類ではなく、サイズを正確に測る必要がある。【０００８】
セットされた原稿のサイズをより正確に測るため、イメージセンサーを用い、読み取りで得られた画像データに基づき、原稿のサイズを決めることがある。例えば、読み取りで得られた画素の画素値（濃さ）に基づき、原稿のサイズを決めることがある。しかし、原稿の色が濃い場合、その濃さが原稿のエッジの判定の妨げとなることがある。ＩＤカード、クレジットカード、キャッシュカードのようなカードには、表面の色が濃いものがある。原稿の表面の色が濃い場合、原稿のエッジを正確に見分けられず、原稿のサイズを正確に判定できない可能性があるという問題がある。【０００９】
また、画像読取装置には、通常、原稿を押さえる押さえ板が設けられる。例えば、押さえ板には、白い板が用いられる。一方、カードのような原稿はある程度の厚みがある。読み取りのための光を原稿に当てたとき、厚みにより、原稿のエッジに影ができる。エッジに相当する影（高濃度画素）の位置を検知することにより、原稿のサイズを判定することがある。押さえ板が閉じられているとき、原稿が無い部分では、押さえ板を読み取るので、画素値は、白色となる。しかし、押さえ板が開いた状態では、原稿が無い部分では、光が押さえ板で反射されない。その結果、原稿が無い部分の画素の画素値も濃い色の値となる。原稿の色が濃い場合、原稿部分と原稿が無い部分との画素値の差が出づらい。押さえ板が開いているとき、原稿のサイズを正確に判定できないことが多くなる。【００１０】
特許文献１記載の原稿形成装置は、不撓性原稿を読み取る。しかし、コンタクトガラスに原稿を置くタイプのものではない。従って、特許文献１記載の原稿形成装置では、上記の問題を解決することはできない。【００１１】
本発明は上記従来技術の問題点に鑑み、カードのような特別な原稿を読み取る場合、原稿押さえの開閉の状態によらず、正確に原稿のサイズを判定する。
【課題を解決するための手段】
【００１２】
本発明に係る画像読取装置は画像読取部、原稿押さえ部、操作パネル、画像データ生成部、制御部を含む。前記画像読取部は、読み取る原稿が置かれる原稿台と、前記原稿台に向けて光を照射する光源と、前記光源からの光に基づき読み取りを行うイメージセンサーを含む。前記原稿押さえ部は、前記原稿台に置かれた前記原稿を押さえる押さえ板を含む。前記原稿押さえ部は、開閉可能である。前記操作パネルは、読み取りモードの選択を受け付ける。前記画像データ生成部は、前記イメージセンサーが出力するアナログ画像信号に基づき画像データを生成する。前記制御部は、前記画像データ生成部が生成した前記画像データに基づき、前記原稿台に置かれた前記原稿のサイズを判定する。前記読み取りモードとして、特別な原稿の両面を読み取る両面特別モードが選択されている場合、前記制御部は、前記原稿の一方の面である第１面を読み取って得られた第１読取画像データに基づき、前記第１面の副走査方向のサイズである第１副走査サイズを求める。前記制御部は、前記原稿の他方の面である第２面を読み取って得られた第２読取画像データに基づき、前記第２面の副走査方向のサイズである第２副走査サイズを求める。前記制御部は、求めた前記第１副走査サイズと求めた前記第２副走査方向サイズのうち、大きい方を前記原稿台にセットされた前記原稿の副走査方向のサイズである確定副走査サイズと判定する。
【発明の効果】
【００１３】
本発明によれば、カードのような特別な原稿を読み取る場合、押さえ板の開閉の状態によらず、正確に原稿のサイズを判定することができる。原稿の片側の面が濃い色でも、正確に原稿の各面のサイズを判定することができる。
【図面の簡単な説明】
【００１４】
【図１】実施形態に係る複合機の一例を示す図である。
【図２】実施形態に係る画像読取部の一例を示す図である。
【図３】実施形態に係る画像読取部の一例を示す図である。
【図４】実施形態に係る原稿搬送部を開いた状態の一例を示す。
【図５】実施形態に係る原稿搬送部を開けた状態を示す図である。
【図６】実施形態に係る原稿搬送部を開けた状態を示す図である。
【図７】実施形態に係るモード選択画面の一例を示す図である。
【図８】実施形態に係る両面特別モードでの読み取りの流れの一例を示す図である。
【図９】実施形態に係る副走査サイズを求める手法の一例を示す図である。
【図１０】実施形態に係る副走査サイズを求める手法の一例を示す図である。
【図１１】実施形態に係る第１の手法の一例を示す図である。
【図１２】実施形態に係る第１の手法の一例を示す図である。
【図１３】実施形態に係る第２の手法の一例を示す図である。
【図１４】実施形態に係る第２の手法の一例を示す図である。
【図１５】実施形態に係る第１主走査サイズの決定手法の一例を示す図である。
【図１６】実施形態に係る第２主走査サイズの決定手法の一例を示す図である。
【図１７】実施形態に係る両面特別モードでの出力の一例を示す図である。
【図１８】実施形態に係る出力用画像データの一例を示す図である。
【図１９】実施形態に係る各推定サイズの特徴をまとめた一覧表である。
【発明を実施するための形態】
【００１５】
以下、図１〜図１９を用い、実施形態に係る画像読取装置を説明する。画像読取装置として、複合機１００を例に挙げて説明する。複合機１００は画像データに基づく印刷や送信を行える。複合機１００は画像形成装置の一種である。本実施形態の説明に記載されている構成、配置等の各要素は、発明の範囲を限定せず単なる説明例にすぎない。
【００１６】
（複合機１００）
図１を用いて、実施形態に係る複合機１００を説明する。図１は、実施形態に係る複合機１００の一例を示す図である。
【００１７】
図１に示すように、複合機１００は、制御部１、記憶部２、原稿搬送部３（原稿押さえ部に相当）、画像読取部４、操作パネル５、印刷部６（出力部に相当）、通信部６０（出力部に相当）を含む。
【００１８】
制御部１は複合機１００の動作を制御する。制御部１は、コピーや送信のようなジョブでの動作を制御する。制御部１は、制御回路１０、画像データ生成部１１（生成回路）、画像処理回路１２を含む。制御回路１０は、例えば、ＣＰＵである。制御回路１０は、ジョブに関する処理、演算を行う。画像データ生成部１１は、画像読取部４が原稿を読み取って出力したアナログ画像信号を処理して画像データを生成する。画像処理回路１２は、画像データの画像処理を行う。記憶部２はＲＡＭ、ＲＯＭ、ストレージを含む。ストレージは、例えば、ＨＤＤ又はＳＳＤである。制御部１は、記憶部２に保存されたプログラムやデータに基づき、各部を制御する。原稿搬送部３はセットされた原稿を搬送する。画像読取部４は、イメージセンサー４６を含み、原稿を読み取る（詳細は後述）。
【００１９】
操作パネル５は使用者の設定を受け付ける。操作パネル５は、表示パネル５１、タッチパネル５２、ハードキー５３を含む。制御部１は、メッセージや、設定用画面を表示パネル５１に表示させる。制御部１は、操作用画像を表示パネル５１に表示させる。操作用画像は、例えば、ボタン、キー、タブである。タッチパネル５２の出力に基づき、制御部１は、操作された操作用画像を認識する。ハードキー５３は、スタートキーやテンキーを含む。タッチパネル５２、ハードキー５３は使用者の設定操作（ジョブに関する操作）を受け付ける。例えば、操作パネル５は、原稿読取のモードの設定を受け付ける。操作パネル５の出力に基づき、制御部１は設定内容を認識する。
【００２０】
印刷部６は、給紙部６ａ、用紙搬送部６ｂ、画像形成部６ｃ、定着部６ｄを含む。印刷ジョブのとき、制御部１は用紙を給紙部６ａに供給させる。制御部１は用紙を用紙搬送部６ｂに搬送させる。用紙搬送部６ｂは印刷済み用紙を機外に排出する。制御部１は画像データに基づくトナー像を画像形成部６ｃに形成させる。制御部１は搬送用紙へのトナー像の転写を画像形成部６ｃに行わせる。制御部１は転写されたトナー像の用紙への定着を定着部６ｄに行わせる。
【００２１】
通信部６０は通信用のハードウェア（通信回路）と通信用のソフトウェアを記憶するメモリーを含む。通信部６０はコンピューター２００やＦＡＸ装置３００と通信する。コンピューター２００は、例えば、ＰＣやサーバーである。操作パネル５は宛先の設定を受け付ける。制御部１は、設定された宛先に向けて、原稿の読み取りに基づく画像データを通信部６０に送信させる（スキャン送信、ＦＡＸ送信）。また、通信部６０は、コンピューター２００やＦＡＸ装置３００からの印刷用データを受信する。制御部１は、受信した印刷用データに基づき印刷部６に印刷させる（プリントジョブ、ＦＡＸ受信印刷）。
【００２２】
（原稿搬送部３、画像読取部４）
次に、図２、図３を用いて、実施形態に係る原稿搬送部３と画像読取部４を説明する。図２、図３は、実施形態に係る画像読取部４の一例を示す図である。図２は、実施形態に係る画像読取部４を複合機１００の正面方向から見た図である。
【００２３】
原稿搬送部３はセットされた原稿を搬送する。原稿搬送部３はＤＰやＡＤＦと略称されることもある。送り読取を行いたいとき、使用者は原稿を原稿搬送部３にセットする。原稿搬送部３はセットされた原稿を１枚ずつ搬送する。原稿搬送部３は送り読取用コンタクトガラス４ａ（読み取り位置）に向けて原稿を搬送する。画像読取部４は搬送される原稿を読み取る（送り読取）。
【００２４】
送り読取用コンタクトガラス４ａは画像読取部４の上面に設けられる。送り読取用コンタクトガラス４ａは透明である。原稿搬送部３は、原稿搬送方向上流側から順に、原稿トレイ３ａ、供給ローラー３ｂ、原稿搬送路３ｃ、複数の搬送ローラー対３ｄ、排出ローラー対３ｅ、排出トレイ３ｆを含む。原稿は原稿搬送路３ｃを通る。供給ローラー３ｂ、複数の搬送ローラー対３ｄ、排出ローラー対３ｅは原稿を１枚ずつ排出トレイ３ｆに向けて搬送する。原稿トレイ３ａには、原稿セットセンサー３ｇが設けられる。
【００２５】
図３に示すように、原稿搬送制御部３０が原稿搬送部３内に設けられる。原稿搬送制御部３０はＣＰＵやメモリーを含む基板である。原稿セットセンサー３ｇの出力は原稿搬送制御部３０に入力される。原稿セットセンサー３ｇの出力に基づき、原稿搬送制御部３０は、原稿トレイ３ａ上の用紙の有無を認識する。また、原稿搬送制御部３０は、原稿搬送を制御する。
【００２６】
次に、画像読取部４を説明する。画像読取部４の上面右側に原稿台４ｂ（テーブル読取用コンタクトガラス）が配される。原稿台４ｂは透明な板（ガラス板）である。テーブル読取を行うとき、使用者は原稿台４ｂの一面（上側の面）に原稿をセットする。例えば、搬送できない原稿が原稿台４ｂにセットされる。原稿搬送部３を開閉することができる。図２は、原稿搬送部３が閉じられた状態を示す。
【００２７】
図３に示すように、画像読取部４は読取制御部４０を含む。読取制御部４０は画像読取部４の動作を制御する基板である。読取制御部４０はＣＰＵやメモリーを含む制御基板である。読取制御部４０は、制御部１からの指示信号を受ける。指示に基づき、読取制御部４０は原稿読取を制御する。
【００２８】
画像読取部４は、筐体４１内に、キャリッジ４２、白基準板４３、移動機構４４を含む。移動機構４４は、ベルト４４ａ、プーリー４４ｂ、プーリー４４ｃ、移動用モーター４４ｄを含む。キャリッジ４２はＣＩＳ方式のスキャンユニットである。画像読取部４は、ＣＣＤ方式のスキャンユニットを有してもよい。
【００２９】
ベルト４４ａは無端状である。ベルト４４ａはプーリー４４ｂとプーリー４４ｃにかけ回される。ベルト４４ａとキャリッジ４２は接続される。移動用モーター４４ｄが画像読取部４に設けられる（図３参照）。移動用モーター４４ｄはプーリー４４ｂ又はプーリー４４ｃを回転させる。移動用モーター４４ｄは正逆回転可能である。キャリッジ４２を移動させるとき、読取制御部４０は移動用モーター４４ｄを回転させる。これにより、ベルト４４ａが周回する。ベルト４４ａの周回にあわせ、キャリッジ４２は水平方向（副走査方向、主走査方向と垂直な方向、図２の左右方向）で移動する。キャリッジ４２は、原稿台４ｂの他面側（下側）で移動する。原稿台４ｂと送り読取用コンタクトガラス４ａの間に白基準板４３が設けられる。
【００３０】
キャリッジ４２は光源４５とイメージセンサー４６を含む。また、キャリッジ４２は反射光をイメージセンサー４６の各受光素子に導くレンズも含む。光源４５は原稿台４ｂや読取対象に光を照射する。光源４５は、例えば、ＬＥＤと導光管を含む。導光管の一端、又は、両端にＬＥＤが取り付けられる。導光管は、端部から入手された光を管の長手方向（主走査方向）で均等に分散する。導光管は分散した光を原稿に向けて照射する。なお、光源４５には、ＬＥＤ以外が用いられてもよい。
【００３１】
イメージセンサー４６は原稿台４ｂに置かれた原稿、又は、搬送される原稿を読み取る。イメージセンサー４６はカラーで原稿を読み取る。イメージセンサー４６は複数の受光素子（光電変換素子、画素）を含む。受光素子は、読取対象で反射された光を受光する。読取対象は、例えば、白基準板４３、原稿、又は、押さえ板３ｉである。受光素子は列状に並べられる。イメージセンサー４６はラインセンサーである。受光素子が並ぶ方向が主走査方向である。読取対象で反射された光は、受光素子に入射される。各受光素子は、受光量（反射光量）に応じたアナログ画像信号を出力する。各受光素子は、読取期間の受光量が多いほど、大きいアナログ画像信号を出力する。このように、イメージセンサー４６は、光源４５からの光に基づき読み取りを行う。なお、イメージセンサー４６は、白黒読み取り対応のものでもよい。
【００３２】
制御部１（コントロール基板）には、画像データ生成部１１が設けられる。ケーブルにより、イメージセンサー４６と画像データ生成部１１が接続される。アナログ画像信号は、ケーブルにより、位置的に離れた場所に伝送される。イメージセンサー４６から出力され、ケーブルを介して入力されたアナログ画像信号に基づき、画像データ生成部１１は画像データを生成する。なお、画像データ生成部１１は、画像読取部４内に設けられてもよい。
【００３３】
画像データ生成部１１は複数の回路を含む。画像データ生成部１１は、例えば、増幅回路、Ａ／Ｄ変換回路、補正回路を含む。増幅回路は、イメージセンサー４６が出力したアナログ画像信号を増幅する。増幅されたアナログ画像信号は、Ａ／Ｄ変換回路に入力される。Ａ／Ｄ変換回路は入力されたアナログ画像信号をディジタルの画像信号に変換する。つまり、Ａ／Ｄ変換回路は画像データを生成する。
【００３４】
生成された画像データは補正回路に入力される。光源４５、イメージセンサー４６、画像データ生成部１１の特性に起因して、画像データに歪みが含まれることがある。補正回路は歪みを補正する回路である。例えば、補正回路はシェーディング補正回路を含む。シェーディング補正回路はシェーディング補正を行う。補正回路は他種の補正用回路を含んでもよい。制御部１は、画像データ生成部１１が生成し、処理した画像データを記憶部２に記憶させる。
【００３５】
（原稿のセット位置と原稿搬送部３の開閉）
次に、図３乃至図６に基づき、実施形態に係る原稿のセット位置と原稿搬送部３の開閉を説明する。図４は、実施形態に係る原稿台４ｂへの原稿セットの一例を示す図である。図４〜図６は、原稿搬送部３を開けた状態の一例を示す図である。
【００３６】
使用者は原稿台４ｂに原稿を載置する（セットする）。使用者は、読み取る面を下向きにする。図４に示すように、原稿台４ｂには基準点Ｐが設定される。基準点Ｐは、画像読取部４（複合機１００）を正面からみて、原稿台４ｂの左奥隅である。原稿台４ｂを上方からみた場合、基準点Ｐは原稿台４ｂの左上隅である。原稿を置くとき、使用者は、基準点Ｐに原稿の左上隅をあわせる。
【００３７】
第１基準ラインＬ１は、原稿台４ｂのうち、主走査方向と平行であって、基準点Ｐを通る原稿台４ｂの端辺である。第１基準ラインＬ１は、原稿の副走査方向のサイズを求めるときの基準となるラインである。第２基準ラインＬ２は、原稿台４ｂのうち、副走査方向と平行であって、基準点Ｐを通る原稿台４ｂの端辺である。第２基準ラインＬ２は、原稿の主走査方向のサイズを求めるときの基準となるラインである。
【００３８】
図５に示すように、複合機１００は、２つのヒンジ３１を含む。各ヒンジ３１は回転軸３２を含む。ヒンジ３１（回転軸３２）は、画像読取部４（複合機１００）を正面からみて奥側（背面側）の辺に沿って設けられる。ヒンジ３１の一方の羽根は原稿搬送部３に取り付けられる。ヒンジ３１の一方の羽根は画像読取部４に取り付けられる。回転軸３２を中心として、原稿搬送部３は、回転（回動）する。画像読取部４（複合機１００）の正面側が自由端となる。原稿搬送部３は、正面側を上下に振るようにして回転する。原稿搬送部３は、画像読取部４の上面（原稿台４ｂ）に対して開、閉両様の姿勢をとり得る。
【００３９】
なお、原稿搬送部３の下面には、押さえ板３ｉが取り付けられる（図２参照）。原稿搬送部３を完全に閉じたとき、押さえ板３ｉは、原稿台４ｂを上方から覆う。押さえ板３ｉは、原稿台４ｂをカバーする位置及び大きさである。原稿搬送部３を閉じた時、押さえ板３ｉは、原稿や原稿台４ｂを押さえる。押さえ板３ｉは白色の板である。なお、原稿搬送部３の代わりに、押さえ板３ｉが下面に取り付けられた原稿カバー板を取り付けることがある。この場合、原稿カバー板が原稿押さえ部として機能する。但し、送り読取を行うことができなくなる。
【００４０】
図３、図５、図６に示すように、画像読取部４は、第１開閉検知部７ａを含む。第１開閉検知部７ａは、２箇所の回転軸３２の間に設けられる。第１開閉検知部７ａは、当接部７１、透過型光センサー７２、ばね７３を含む。ばね７３は当接部７１を上方に付勢する。図６に示すように、当接部７１は、上下方向に延びる棒状の部材である。当接部７１は、原稿搬送部３の角度θ（開閉の度合い）に応じて、上下方向にスライド（移動）する。ばね７３に付勢されるので、原稿搬送部３が開けられるに従い、当接部７１は画像読取部４の上面から突出する。一方、原稿搬送部３が閉じられる途中で、当接部７１の上端部７１ｕは原稿搬送部３の下面３ｊに接する。そして、原稿搬送部３が閉じられるほど、当接部７１は下方（画像読取部４の内部）に押し込まれる。
【００４１】
当接部７１の下端部に、センサー干渉部７１ｂが設けられる。透過型光センサー７２は、センサー干渉部７１ｂが予め定められた位置よりも下方に到達したことを検知する。原稿搬送部３が閉じられる途中で、センサー干渉部７１ｂが透過型光センサー７２の発光部と受光部との間の光路を遮ったとき、透過型光センサー７２の出力が変化する（遮光時の出力になる）。透過型光センサー７２は、原稿搬送部３が所定角度未満となるまで閉じられたことを検知する。第１開閉検知部７ａ（透過型光センサー７２）の出力は、制御部１に入力される。第１開閉検知部７ａの出力に基づき、制御部１は原稿搬送部３が所定角度以上開いていることを認識できる。所定角度は、例えば、３０〜４５度のうち、何れかの角度である。
【００４２】
図３に示すように、原稿搬送部３の内部に、第２開閉検知部７ｂが設けられる。第２開閉検知部７ｂは、原稿搬送部３が完全に閉じられたことを検知するためのセンサーである。例えば、第２開閉検知部７ｂは、原稿搬送部３の傾きを検知するセンサーである。原稿搬送部３が閉じられているとき、押さえ板３ｉが水平となる。原稿搬送部３が完全に閉じられた状態と扱う範囲内にあるときと、範囲外にあるときとで、第２開閉検知部７ｂの出力レベルが変化する。第２開閉検知部７ｂの出力は制御部１に入力される。第２開閉検知部７ｂの出力に基づき、制御部１は、原稿搬送部３が完全に閉じられているか否か（下限まで下ろされたか否か）を認識する。
【００４３】
（読取モードの選択）
次に、図７を用いて、実施形態に係る複合機１００が有する読取モードの一例を説明する。図７は、実施形態に係るモード選択画面５４の一例を示す図である。
【００４４】
複合機１００では、原稿を読み取るモードとして、ノーマルモード、片面特別モード、両面特別モードを利用することができる。操作パネル５に所定の操作がなされたとき、制御部１は、モード選択画面５４を表示パネル５１に表示させる。図５は、モード選択画面５４の一例を示す。操作パネル５は、モードの選択を受け付ける。複合機１００は、ノーマルモード、片面特別モード、両面特別モードの選択を受け付ける操作パネル５を含む。
【００４５】
ノーマルモードで読み取りを行いたいとき、使用者は、操作パネル５でノーマルモードを選択する。具体的に、ノーマルモードボタンＢ１を操作する。片面特別モードで読み取りを行いたいとき、使用者は、操作パネル５で片面特別モードを選択する。具体的に、使用者は片面特別モードボタンＢ２を操作する。両面特別モードで読み取りを行いたいとき、使用者は、操作パネル５で両面特別モードを選択する。具体的に、使用者は両面特別モードボタンＢ３を操作する。操作されたボタンに基づき、制御部１は、操作パネル５で選択されたモードを認識する。
【００４６】
片面特別モードと両面特別モードは、特別な原稿を読み取るためのモードである。特別な原稿は、例えば、カード原稿、パスポート、名刺の何れか１つ、又は、複数である。カード原稿は、例えば、ＩＤカード、クレジットカード、キャッシュカード、メンバーズカード、各種証明用カードのようなカード型の原稿である。また、特別な原稿には、パスポート、健康保険証、免許証のような身分証明に用いられるものが含まれてもよい。特別な原稿は、予め定められた特定種類の原稿ともいえる。このように、片面特別モードと両面特別モードは、カードのような小さい原稿（カードケースに収まる原稿）を読み取るためのモードである。片面特別モードと両面特別モードは、原稿搬送部３で搬送可能な原稿の最小サイズよりも小さい原稿を読み取るためのモードともいえる。
【００４７】
片面特別モードと両面特別モードでは、テーブル読み取りのみが行われる。片面特別モードと両面特別モードでの読み取りのとき、制御部１は原稿搬送部３に原稿搬送動作を行わせない。なお、ノーマルモードでは、搬送読み取りを行うことができる。また、ノーマルモードでもテーブル読み取りを行うこともできる。
【００４８】
片面特別モードと両面特別モードで原稿を読み取るとき、制御部１は、原稿台４ｂのうち特定領域Ｆ１（図４参照）の読み取りを画像読取部４に行わせる。通常、カードはＡ５サイズよりも小さい。そのため、特定領域Ｆ１の副走査方向の幅はＡ５の短辺又は長辺と同じ長さである。特定領域Ｆ１の主走査方向の範囲は、例えば、原稿台４ｂの主走査方向の幅と同じである。制御部１は、原稿台４ｂのうち、基準点Ｐのある側から画像読取部４に読み取らせる。制御部１は、基準点Ｐから離れる方向かつ副走査方向に読取ラインの位置をずらしてゆく。
【００４９】
片面特別モードでは、制御部１は、特定領域Ｆ１を１回読み取るごとに、原稿サイズを判定する。制御部１（画像処理回路１２）は、特定領域Ｆ１の読み取りで得られた画像データから原稿部分（判定したサイズと同じサイズの画像データ）を１つ抜き出す。制御部１は、抜き出した画像データを１ページに１つ貼りつけた出力用画像データＤ１を生成する。
【００５０】
両面特別モードでは、制御部１は、特定領域Ｆ１を２回読み取るごとに、原稿のサイズを判定する。両面特別モードは、原稿の両面を読み取るためのモードである。制御部１（画像処理回路１２）は、２回の特定領域Ｆ１の読み取りで得られたそれぞれの画像データから、原稿部分（判定したサイズの画像データ）を１つずつ抜き出す。制御部１は、抜き出した２つの画像データを１ページ内に貼りつけた出力用画像データＤ１を生成する。
【００５１】
（両面特別モードでの読み取りの流れ）
次に、図８を用いて、実施形態に係る両面特別モードでの読み取りの流れの一例を説明する。図８は実施形態に係る両面特別モードでの読み取りの流れの一例を示す図である。
【００５２】
操作パネル５で両面特別モードを選択することにより、両面特別モードでの読み取りを行うことができる。原稿台４ｂにセットされた特別な原稿のうち、最初に、原稿の下側の面が読み取られる。原稿の一方の面（第１面）が最初に読み取られる。第１面の全体の読み取り後、使用者は原稿を裏返す。続いて、原稿の他方の面（第２面）が読み取られる。第１面は、原稿の表側でもよいし、裏側でもよい。
【００５３】
図８のスタートは、両面特別モードが開始された時点である。言い換えると、新たな原稿について、両面特別モードが開始された時点である。まず、制御部１は、第１読取指示に基づく第１面の全体の読み取り前の読み取りにより、原稿の第１面の主走査方向のサイズの推定値を求める（ステップ♯１１）。第１読取指示は第１面の全体の読取開始指示である。
【００５４】
操作パネル５は、第１読取指示を受け付ける。例えば、操作パネル５は、スタートキーを押す操作を第１読取指示として受け付ける。なお、第１読取指示（スタートキーの操作）の前に、使用者は、原稿の左上隅と原稿台４ｂの基準点Ｐがあうように、原稿を原稿台４ｂに置く。原稿を置くには、原稿搬送部３を開ける必要がある。制御部１は、設定や原稿のセットが完了したとき、スタートキーを操作すべきことを表示パネル５１に表示させてもよい。第１面の読取を開始する前に使用者が行うべき操作を案内することができる。
【００５５】
次に、第１読取指示に基づき、制御部１は、原稿台４ｂのうちの特定領域Ｆ１の読み取りを画像読取部４に行わせる（ステップ♯１２）。これにより、セットされた原稿の第１面の全体が読み取られる。制御部１は、キャリッジ４２を副走査方向で移動させ、読み取りを行わせる。イメージセンサー４６は、アナログ画像信号を出力する。特定領域Ｆ１の読み取りで出力されたアナログ画像信号に基づき、制御部１は第１読取画像データを画像データ生成部１１に生成させる（ステップ♯１３）。第１読取画像データは、原稿の第１面の読み取り（１回目の特定領域Ｆ１の読み取り）で得られた画像データである。さらに、ステップ♯１１で求めた推定値に基づき、制御部１は、第１面の主走査方向のサイズ（第１主走査サイズ）を判定する（ステップ♯１４）。第１主走査サイズの判定の詳細は後述する。
【００５６】
制御部１は、第１面の全体の読み取り後、第２読取指示に基づく第２面の全体の読み取りの開始前の読み取りにより、原稿の第２面の主走査方向のサイズの推定値を求める（ステップ♯１５）。第２読取指示は第２面の全体の読取開始指示である。例えば、操作パネル５は、スタートキーを押す操作を第２読取指示として受け付ける。
【００５７】
なお、第２読取指示（スタートキーの操作）の前に、使用者は原稿を裏返す。原稿を裏返すには、原稿搬送部３を開ける必要がある。そして、使用者は、原稿の左上隅と原稿台４ｂの基準点Ｐがあうように、裏返した原稿を原稿台４ｂに置く。また、制御部１は、設定や原稿のセットが完了したとき、スタートキーを操作すべきことを表示パネル５１に表示させてもよい。第２面の読取を開始する前に使用者が行うべき操作を案内することができる。
【００５８】
第２読取指示に基づき、制御部１は、原稿台４ｂのうち、特定領域Ｆ１の読み取りを画像読取部４に行わせる（ステップ♯１６）。制御部１は、キャリッジ４２を副走査方向で移動させ、読み取りを行わせる。イメージセンサー４６は、アナログ画像信号を出力する。特定領域Ｆ１の読み取りで出力されたアナログ画像信号に基づき、制御部１は、第２読取画像データを画像データ生成部１１に生成させる（ステップ♯１７）。第２読取画像データは、原稿の第２面の読み取り（２回目の特定領域Ｆ１の読み取り）で得られた画像データである。さらに、ステップ♯１５で求めた推定値に基づき、制御部１は、第２面の主走査方向のサイズ（第２主走査サイズ）を判定する（ステップ♯１８）。第２主走査サイズの判定の詳細は後述する。
【００５９】
続いて、制御部１は、第１読取画像データに基づき、第１面の副走査方向のサイズである第１副走査サイズを求める（ステップ♯１９）。また、制御部１は、第２読取画像データに基づき、第２面の副走査方向のサイズである第２副走査サイズを求める（ステップ♯１１０）。
【００６０】
そして、制御部１は、確定副走査サイズＳ１を判定する（ステップ♯１１１）。確定副走査サイズＳ１は、原稿台４ｂにセットされた原稿の副走査方向のサイズである。制御部１は、第１副走査サイズと第２副走査サイズのうち、大きい方を確定副走査サイズＳ１と判定する。
【００６１】
さらに、制御部１は、求めた第１主走査サイズと第２主走査サイズに基づき、確定主走査サイズＳ２を判定する（ステップ♯１１２）。確定主走査サイズＳ２は、原稿台４ｂにセットされた原稿の主走査方向のサイズである。制御部１は、求めた第１主走査サイズと求めた第２主走査サイズのうち、大きい方を確定主走査サイズＳ２と判定する。ステップ♯１１２により、両面特別モードでの読み取りの基本的な流れは終了する（エンド）。
【００６２】
（両面特別モードでの副走査方向のサイズの判定）
次に、図４、図６、図９、図１０を用いて、実施形態に係る第１副走査サイズと第２副走査サイズを求める手法の一例を説明する。図９、図１０は実施形態に係る副走査サイズを求める手法の一例を示す図である。
【００６３】
第１副走査サイズと第２副走査サイズを求める手法の一例を説明する。制御部１は、第１読取画像データのうち、特定エリアの画像データに基づき、第１面の副走査方向のサイズ（第１副走査サイズ）を求める。また、制御部１は、第２読取画像データのうち、特定エリアの画像データに基づき、第２面の副走査方向のサイズ（第２副走査サイズ）を求める。
【００６４】
特定エリアは、原稿台４ｂの予め定められた判定用エリアＡ１に対応する範囲である。図４に示すように、判定用エリアＡ１は、特定領域Ｆ１の一部である。図４での網掛け矩形は、判定用エリアＡ１の一例を示す。また、判定用エリアＡ１は、副走査方向を長手方向とする短冊状の領域である。判定用エリアＡ１は、画像読取部４を正面から見たときの原稿台４ｂの奥側の副走査方向の端（第２基準ラインＬ２）を含むエリアである。また、判定用エリアＡ１の主走査方向の幅は予め定められている。例えば、判定用エリアＡ１の主走査方向の幅は、数ｍｍ〜数ｃｍの範囲内の何れかの値とできる。本実施形態の複合機１００では、判定用エリアＡ１の主走査方向の幅は、３ｍｍ程度とされる。
【００６５】
ＣＩＳ方式のイメージセンサーは、縮小光学系のイメージセンサーよりも画素（受光素子）が大きい。そのため、室内光の影響を受けやすい。そして、原稿搬送部３が閉じていない状態で原稿の第１面と第２面を読み取りが行われることがある。室内光を多く受光した画素の画素値は明るくなる。室内光を多く受光した画素の画像データをサイズ判定に用いると、サイズを正確に判定できないことがある。
【００６６】
ここで、図６に示すように、原稿押さえ部の回転軸３２は、画像読取部４を正面から見て、奥側に設けられる。奥側ほど原稿台４ｂと原稿搬送部３の距離は近い。また、原稿搬送部３は、垂直となるまで開かない。例えば、原稿搬送部３を最大まで開けた（持ち上げた）とき、原稿台４ｂの上面と原稿搬送部３の下面がなす角度θは６０〜８０度程度である。このとき、原稿台４ｂの一部は、原稿搬送部３で覆われる。通常、室内の照明機器は天井に設けられる。原稿搬送部３を開けた状態でも、原稿台４ｂのうち直上に原稿搬送部３がある部分（原稿搬送部３に覆われる部分）には、天井からの光が入りにくい。これらの理由により、室内光は、正面側よりも奥側の方が原稿台４ｂに入射しにくい。そこで、室内光が入射しにくいエリアに対応する画像データに基づき、制御部１は、原稿の副走査サイズを求める。
【００６７】
なお、判定用エリアＡ１の主走査方向の幅は、実験を繰り返すことにより定めてもよい。また、判定用エリアＡ１の主走査方向の幅を設定するモードを複合機１００で利用できるようにしてもよい。この場合、操作パネル５は、モードの利用を受け付ける。設定するモードが選択されたとき、制御部１は、画像読取部４に原稿台４ｂの読み取りを行わせる。このとき、使用者は、原稿搬送部３を最大まで開けた状態とする。また、原稿台４ｂに原稿を置かないようにする。
【００６８】
例えば、制御部１は、原稿台４ｂの読み取りを複数回、画像読取部４に行わせる。そして、制御部１は、読み取りで得られた複数の画像データのそれぞれについて、各画素の画素値を認識する。さらに、制御部１は、どの画像データでも、画素値が予め定められた許容値よりも明るくならない画素を認識する。室内光の影響が少ない画素の位置を特定することができる。制御部１は、許容値よりも明るくならない画素のうち、第２基準ラインＬ２（原稿台４ｂの奥側の端辺）から主走査方向で最も遠い画素までの主走査方向の距離を認識する。制御部１は認識した距離を判定用エリアＡ１の主走査方向の幅とする。
【００６９】
図９、図１０を用いて、副走査サイズを求める手法の一例を説明する。図９、図１０の横軸は、副走査方向での画素の位置を示す。図９、図１０の縦軸は画素値の濃さ（明るさ）を示す。図９は、原稿搬送部３が閉じられているときの第１読取画像データ又は第２読取画像データの画素値の一例を示す。図１０は、原稿搬送部３が閉じられていないときの第１読取画像データ又は第２読取画像データの画素値の一例を示す。なお、図９、図１０は、原稿の下地（地肌）が明るい（白い）色であるときの第１読取画像データ又は第２読取画像データの画素値の一例を示す。
【００７０】
原稿搬送部３が閉じられているとき、原稿は押さえ板３ｉに押さえられる。カードのような原稿は厚みがある。そのため、原稿のエッジには影ができる。原稿搬送部３を閉じたとき、各読取画像データでは、影部分を読み取った画素の画素値は暗い（濃い）値となる（図９参照）。なお、押さえ板３ｉを読み取った画素の画素値は明るい（白い）値となる。原稿搬送部３が閉じられているとき、原稿のエッジに対応する位置で、画素値の変化が大きくなる。
【００７１】
原稿搬送部３が閉じられていない場合、原稿のない範囲では、光源４５からの光は反射されない。原稿のない部分に対応する画素の画素値は暗くなる。原稿搬送部３が開けられて読み取りがなされた各読取画像データでは、押さえ板３ｉの反射がない部分の画素の画素値は暗い（濃い）値となる（図１０参照）。原稿搬送部３が閉じられていなくても、原稿のエッジに対応する位置で、画素値の変化が大きくなる。
【００７２】
制御部１は、第１読取画像データの特定エリアに含まれる画素ごとに、副走査方向で隣接する２つの画素の画素値の差の絶対値を求める。制御部１は、求めた絶対値が予め定められた第１閾値Ｔｈ１を超える画素を認識する。第１閾値Ｔｈ１は、副走査方向で向かいあう原稿の辺のうち、基準点Ｐから遠い方の辺の位置を認識するための値である。記憶部２は第１閾値Ｔｈ１を記憶する。制御部１は、求めた絶対値が第１閾値Ｔｈ１を超える画素のうち、第１読取画像データの左端から副走査方向で最も遠い画素の位置を認識する。第１読取画像データの左端は第１基準ラインＬ１と対応する（図４参照）。制御部１は、第１読取画像データの左端から最も遠い画素までの副走査方向の画素数をカウントする。制御部１はカウントした画素数に、副走査方向の１画素あたりピッチを乗じた値を第１副走査サイズとして求める。なお、副走査方向の１画素あたりピッチは、読み取り解像度により決まる。例えば、６００ｄｐｉの１画素のピッチは、約４２．３μｍである。
【００７３】
また、制御部１は、第２読取画像データの特定エリアに含まれる画素ごとに、副走査方向で隣接する２つの画素の画素値の差の絶対値を求める。制御部１は、求めた差の絶対値が第１閾値Ｔｈ１を超える画素を認識する。制御部１は、差の絶対値が第１閾値Ｔｈ１を超える画素のうち、第２読取画像データの左端（副走査方向の端）から最も遠い画素の位置を認識する。第２読取画像データの左端は、第１基準ラインＬ１と対応する。制御部１は第２読取画像データの左端から最も遠い画素までの副走査方向の画素数をカウントする。制御部１はカウントした画素数に、副走査方向の１画素あたりピッチを乗じた値を第２副走査サイズとして求める。
【００７４】
（両面特別モードでの主走査方向のサイズの判定）
次に、図４、図１１〜図１４を用いて、実施形態に係る第１主走査サイズと第２主走査サイズを求める手法の一例を説明する。図１１〜図１４は実施形態に係る原稿の主走査サイズを求める手法の一例を示す図である。
【００７５】
制御部１は、第１読取指示に基づく第１面の全体（特定領域Ｆ１）の読み取り前、複数の時点（手法）で読み取りを行う。第１面の全体の読み取り前に得られた複数の第１検知用画像データに基づき、第１面の主走査方向のサイズの推定値を求める。そのため、第１面の全体の読み取り前、制御部１は、複数回、推定値を求める。また、制御部１は、第１面の全体の読み取り後、第２読取指示に基づく第２面の全体（特定領域Ｆ１）の読み取りの開始前、複数の時点（手法）で読み取りを行う。第２面の全体の読み取り前に得られた複数の第２検知用画像データに基づき、第２面の主走査方向のサイズの推定値を求める。そのため、第１面の全体の読み取り後、第２読取指示に基づく第２面の全体の読み取りの開始前、制御部１は、複数回、推定値を求める。
【００７６】
そして、制御部１は、求めた第１面の主走査方向のサイズの推定値に基づき、第１面の主走査方向のサイズである第１主走査サイズを求める。また、制御部１は、求めた第２面の主走査方向のサイズの推定値に基づき、第２面の主走査方向のサイズである第２主走査サイズを求める。求めた第１主走査サイズと、求めた第２主走査サイズのうち、大きい方を確定主走査サイズＳ２と判定する。なお、第１読取指示に基づく第１面の全体の読み取り前と、第１面の全体の読み取り後、第２読取指示に基づく第２面の全体の読み取りの開始前で推定値を求める手法の種類は同じである。
【００７７】
なお、第１読取指示に基づく第１面の（特定領域Ｆ１）の読み取り前、及び、第１面の全体の読み取り後、第２読取指示に基づく第２面の全体（特定領域Ｆ１）の読み取りの開始前、制御部１は、イメージセンサー４６の読取ラインの位置を検知用位置Ｌ３とする（図４参照）。検知用位置Ｌ３は予め定められる。検知用位置Ｌ３は、第１基準ラインＬ１よりも所定距離だけ副走査方向に原稿台４ｂの中心方向に寄った位置である。両面特別モードは、ＩＤカードやクレジットカードのような特別な原稿（カード原稿）の読み取りに用いられるモードである。そこで、所定距離は、１又は複数の国際規格において、最小サイズのカードの幅よりも短い。例えば、所定距離は数ｃｍ程度とすることができる。
【００７８】
（第１の手法）
図１１、図１２を用いて、特別な原稿の主走査方向のサイズの推定値を求める第１の手法の一例を説明する。図１１、図１２は、実施形態に係る第１の手法の一例を示す。
【００７９】
第１の手法は、光源４５を点灯させず、室内光の読み取り結果に基づき、原稿の主走査方向のサイズの推定値を求める手法である。図１１のスタートは、第１読取指示に基づく第１面の全体の読み取り前に原稿搬送部３が所定角度以上に開いた時点である。第１開閉検知部７ａの出力に基づき、制御部１は、所定角度以上、原稿搬送部３が開いていることを認識する。原稿搬送部３が所定角度以上、開いている間、制御部１は、第１の手法を用いて、第１面の主走査方向のサイズの推定値を求める。以下では、第１の手法で求められる第１面の主走査方向の推定サイズを第１推定サイズと称する。
【００８０】
まず、制御部１は、光源４５を点灯せずに、１ラインの読み取りを画像読取部４に行わせる（ステップ♯２１）。制御部１は、読み取りで得られたアナログ画像信号に基づき、１ラインの第１検知用画像データを画像データ生成部１１に生成させる（ステップ♯２２）。第１検知用画像データは、第１読取指示に基づく第１面の全体の読み取り前の読み取りで得られた画像データである。第１検知用画像データの読み取りのトリガーは、所定角度以上、原稿搬送部３が開いていることである。
【００８１】
第１検知用画像データに基づき、制御部１は、第１推定サイズを求める（ステップ♯２３）。ここで、原稿はイメージセンサーへの室内光の入射を妨げる。原稿が基準点Ｐにあわせて原稿台４ｂにセットされている場合、イメージセンサー４６のうち、原稿と対向する画素には、室内光がほぼ入射されない。そこで、制御部１は、第１検知用画像データのうち、画素値が予め定められた第２閾値Ｔｈ２よりも暗い（濃い）画素を認識する。第２閾値Ｔｈ２は、主走査方向で向かい合う原稿の辺のうち、基準点Ｐから遠い方の辺の位置を認識するための値である。第２閾値Ｔｈ２は実験により定めることができる。例えば、原稿をセットせず、原稿搬送部３を開け、光源４５を点灯させないときの画像データの画素値のうち、最も暗い（濃い）画素値よりも暗い値を第２閾値Ｔｈ２とする。記憶部２は第２閾値Ｔｈ２を記憶する。
【００８２】
制御部１は、第２閾値Ｔｈ２よりも暗い画素値を有する画素のうち、第１検知用画像データの主走査方向の先頭側から最も遠い画素の位置を認識する。第１検知用画像データのうち、第２基準ラインＬ２（基準点Ｐ）に近い方が先頭側である。制御部１は、第１検知用画像データの先頭から最も遠い画素までの主走査方向の画素数をカウントする。制御部１はカウントした画素数に、主走査方向の１画素あたりピッチを乗じた値を第１推定サイズと定める。なお、第２閾値Ｔｈ２よりも暗い（濃い）画素値の画素が無い場合、制御部１は、原稿が置かれていないと判定する。この場合、制御部１は、第１面の主走査方向のサイズの推定値を求めない。
【００８３】
そして、制御部１は、原稿搬送部３が所定角度未満まで閉じられたか否かを確認する（ステップ♯２４）。原稿搬送部３が所定角度未満まで閉じられた場合（ステップ♯２４のＹｅｓ）、本フローは終了する（エンド）。原稿搬送部３が所定角度未満まで閉じられていない場合、フローはステップ♯２１に戻る。原稿搬送部３が所定角度以上開いている間、制御部１は、光源４５を点灯しない読み取りを周期的に行う。読み取りの周期は、商用電源の周期（室内光の変動周期）と一致しないように設定される。例えば、商用電源の周期の整数分の１とならず、整数倍ともならない周期とされる。
【００８４】
次に、図１２について説明する。図１２のスタートは、第１面の全体の読み取り後、第２読取指示に基づく第２面の全体の読み取りの開始前に原稿搬送部３が所定角度以上開いた時点である。第１開閉検知部７ａの出力に基づき、制御部１は、所定角度以上原稿搬送部３が開いていることを認識する。原稿搬送部３が所定角度以上、開いている間、制御部１は、第１の手法を用いて、第２面の主走査方向のサイズの推定値を求める。以下では、第１の手法で求められる第２面の主走査方向の推定サイズを、第５推定サイズと称する。
【００８５】
まず、制御部１は、光源４５を点灯せずに、１ラインの読み取りを画像読取部４に行わせる（ステップ♯３１）。制御部１は、読み取りで得られたアナログ画像信号に基づき、１ラインの第２検知用画像データを画像データ生成部１１に生成させる（ステップ♯３２）。第２検知用画像データは、第１面の全体の読み取り後、第２読取指示に基づく第２面の全体の読み取りの開始前の読み取りで得られた画像データである。第２検知用画像データの読み取りのトリガーは、所定角度以上、原稿搬送部３が開いていることである。
【００８６】
第２検知用画像データに基づき、制御部１は、第５推定サイズを求める（ステップ♯３３）。制御部１は、第２閾値Ｔｈ２よりも暗い画素値を有する画素のうち、第２検知用画像データの主走査方向の先頭側からみて、最も遠い画素の位置を認識する。制御部１は、第２検知用画像データの先頭から最も遠い画素までの主走査方向の画素数をカウントする。制御部１はカウントした画素数に、主走査方向の１画素あたりピッチを乗じた値を第５推定サイズと定める。なお、第２閾値Ｔｈ２よりも暗い（濃い）画素値の画素が無い場合、制御部１は原稿が置かれていないと判定する。この場合、制御部１は、第２面の主走査方向のサイズの推定値を求めない。
【００８７】
そして、制御部１は、原稿搬送部３が所定角度未満まで閉じられたか否かを確認する（ステップ♯３４）。原稿搬送部３が所定角度未満まで閉じられた場合（ステップ♯３４のＹｅｓ）、本フローは終了する（エンド）。原稿搬送部３が所定角度未満まで閉じられていない場合、フローはステップ♯３１に戻る。原稿搬送部３が所定角度以上開いている間、制御部１は、光源４５を点灯しない読み取りを周期的に行う。読み取りの周期は、商用電源の周期（室内光の変動周期）と一致しないように設定される。例えば、商用電源の周期の整数分の１とならず、整数倍ともならない周期とされる。
【００８８】
（第２の手法）
図１３、図１４を用いて、特別な原稿の主走査方向のサイズの推定値を求める第２の手法の一例を説明する。図１３、図１４は、実施形態に係る第２の手法の一例を示す。
【００８９】
第２の手法は、光源４５を点灯させて読み取りを行って各主走査サイズを求める手法である。図１３のスタートの時点は３つある。１つ目は、操作パネル５が第１読取指示を受け付けた時点である。２つ目は、原稿搬送部３（原稿押さえ部）が所定角度未満まで閉じられた時点である。３つ目は、原稿搬送部３が完全に閉じられた時点である。これらの時点に到ったとき、制御部１は、光源４５を点灯させ、読み取りを画像読取部４に行わせる。このとき得られた第１検知用画像データに基づき、制御部は、原稿の第１面の主走査方向のサイズの推定値を求める。
【００９０】
まず、制御部１は、光源４５を点灯させて、１ラインの読み取りを画像読取部４に行わせる（ステップ♯４１）。画像読取部４は、検知用位置Ｌ３のラインを読み取る。制御部１は、読み取りで得られたアナログ画像信号に基づき、１ラインの第１検知用画像データを画像データ生成部１１に生成させる（ステップ♯４２）。第１検知用画像データに基づき、制御部１は、第１面の主走査サイズの推定値を求める（ステップ♯４３）。
【００９１】
ここで、操作パネル５が第１読取指示を受け付けた時点の読み取りで得られた第１検知用画像データに基づき求めた第１面の主走査方向のサイズの推定値を第２推定サイズと称する。また、原稿搬送部３（原稿押さえ部）が所定角度未満まで閉じられた時点の読み取りで得られた第１検知用画像データに基づき求めた第１面の主走査方向のサイズの推定値を第３推定サイズと称する。原稿搬送部３が完全に閉じられた時点の読み取りで得られた第１検知用画像データに基づき求めた第１面の主走査方向のサイズの推定値を第４推定サイズと称する。
【００９２】
原稿搬送部３が完全に閉じられる前に読み取ったとき、原稿と対向する画素には、原稿の反射光が入射される。原稿がない部分の画素では、押さえ板３ｉによる光の反射がない。原稿がない部分の画素では、反射光が入射されない。原稿がない部分を読み取った画素の画素値は、暗い（濃い、黒い）値となる。一方、原稿が明るい色であれば、原稿を読み取った画素の画素値は、明るい（薄い、白い）値となる。そのため、原稿搬送部３が完全に閉じられていない状態で読み取ったとき、原稿のエッジに対応する位置では、画素値の変化が大きくなる。
【００９３】
原稿搬送部３が完全に閉じられると、原稿は押さえ板３ｉに押さえられる。カードのような原稿は、厚みがある。そのため、原稿のエッジには影ができる。原稿搬送部３を閉じているとき、影部分を読み取った画素の画素値は暗い（濃い、黒い）値になる（図９参照）。なお、押さえ板３ｉを読み取った画素の画素値は明るい（薄い、白い）値になる。原稿搬送部３が閉じられた場合でも、各読取画像データでは、原稿のエッジに対応する位置で、画素値の変化が大きくなる。
【００９４】
このように、原稿のエッジに対応する位置で、画素値の変化が大きくなる。そこで、制御部１は、第１検知用画像データに含まれる画素ごとに、主走査方向で隣接する２つの画素の画素値の差の絶対値を求める。制御部１は、求めた絶対値が予め定められた第３閾値Ｔｈ３を超える画素を認識する。第３閾値Ｔｈ３は、主走査方向で向かい合う原稿の辺のうち、基準点Ｐから遠い方の辺の位置を認識するための値である。記憶部２は第３閾値Ｔｈ３を記憶する。第３閾値Ｔｈ３は、第１閾値Ｔｈ１と同じ値でもよい。
【００９５】
制御部１は、求めた絶対値が第３閾値Ｔｈ３を超える画素のうち、第１検知用画像データの主走査方向の先頭側からみて、最も遠い画素の位置を認識する。第１検知用画像データのうち、第２基準ラインＬ２（基準点Ｐ）に近い方が先頭側である。制御部１は、第１検知用画像データの先頭から最も遠い画素までの主走査方向の画素数をカウントする。制御部１はカウントした画素数に、主走査方向の１画素あたりピッチを乗じた値を第２、第３、又は、第４推定サイズとして求める。なお、求めた絶対値が第３閾値Ｔｈ３を超える画素がない場合、制御部１は、原稿が置かれていないと判定する。この場合、制御部１は第１面の主走査方向のサイズの推定値を求めない。
【００９６】
次に、図１４を用いて、第２の手法を用いて特別な原稿の第２面の主走査方向のサイズの推定値を求める処理の一例を説明する。図１４のスタートする時点も３つある。１つ目は、操作パネル５が第２読取指示を受け付けた時点である。２つ目は、第１面の全体の読み取り後、第２読取指示に基づく第２面の全体の読み取りの開始前の間、原稿搬送部３（原稿押さえ部）が所定角度未満まで閉じられた時点である。３つ目は、第１面の全体の読み取り後、第２読取指示に基づく第２面の全体の読み取りの開始前の間、原稿搬送部３が完全に閉じられた時点である。これらの時点に到ったとき、制御部１は、光源４５を点灯させ、読み取りを画像読取部４に行わせる。このとき得られた第２検知用画像データに基づき、制御部は、原稿の第２面の主走査方向のサイズの推定値を求める。
【００９７】
まず、制御部１は、光源４５を点灯させて、１ラインの読み取りを画像読取部４に行わせる（ステップ♯５１）。画像読取部４は、検知用位置Ｌ３のラインを読み取る。制御部１は、読み取りで得られたアナログ画像信号に基づき、１ラインの第２検知用画像データを画像データ生成部１１に生成させる（ステップ♯５２）。第２検知用データは、第１面の全体の読み取り後、第２読取指示に基づく第２面の全体の読み取りの開始前の読み取りで得られた画像データである。第２検知用画像データに基づき、制御部１は、第２面の主走査サイズの推定値を求める（ステップ♯５３）。
【００９８】
ここで、操作パネル５が第２読取指示を受け付けた時点の読み取りで得られた第２検知用画像データに基づき求めた第２面の主走査方向のサイズの推定値を第６推定サイズと称する。また、原稿搬送部３（原稿押さえ部）が所定角度未満まで閉じられた時点の読み取りで得られた第２検知用画像データに基づき求めた第２面の主走査方向のサイズの推定値を第７推定サイズと称する。原稿搬送部３が完全に閉じられた時点の読み取りで得られた第２検知用画像データに基づき求めた第２面の主走査方向のサイズの推定値を第８推定サイズと称する。
【００９９】
第２検知用画像データの場合でも、原稿のエッジに対応する位置で、画素値の変化が大きくなる。そこで、制御部１は、第２検知用画像データに含まれる画素ごとに、主走査方向で隣接する２つの画素の画素値の差の絶対値を求める。制御部１は、求めた絶対値が第３閾値Ｔｈ３を超える画素を認識する。制御部１は、求めた絶対値が第３閾値Ｔｈ３を超える画素のうち、第２検知用画像データの主走査方向の先頭側からみて、最も遠い画素の位置を認識する。制御部１は、第２検知用画像データの先頭から最も遠い画素までの主走査方向の画素数をカウントする。制御部１はカウントした画素数に、主走査方向の１画素あたりピッチを乗じた値を第６、第７、又は、第８推定サイズとして求める。なお、求めた絶対値が第３閾値Ｔｈ３を超える画素がない場合、制御部１は、原稿が置かれていないと判定する。この場合、制御部１は、第２面の主走査サイズの推定値を求めない。
【０１００】
（第１主走査サイズの決定）
次に、図１５、図１９を用いて、実施形態に係る第１主走査サイズの決定の一例を説明する。図１５は、実施形態に係る第１主走査サイズの決定手法の一例を示す図である。図１９は、実施形態に係る各推定サイズの特徴をまとめた一覧表である。
【０１０１】
制御部１は、原稿の第１面について、第１主走査サイズを求める（定める）。また、制御部１は、原稿の第２面について、第２主走査サイズを求める（定める）。そして、制御部は、第１主走査サイズと第２主走査サイズのうち、大きい方を確定主走査サイズＳ２とする。確定主走査サイズＳ２を定める前に、制御部１は、第１主走査サイズと第２主走査サイズを定める。
【０１０２】
第１読取指示がなされるまで、原稿搬送部３が完全に閉じられる場合と閉じられない場合がある。何れの場合でも、正確な第１主走査サイズを求めることが好ましい。そこで、図１５に示すように、原稿搬送部３が所定角度以上開いた後、第１読取指示前に一度も原稿搬送部３が所定角度未満とならなかった場合、制御部１は、第１推定サイズと第２推定サイズのうち、小さい方を第１主走査サイズと定める。原稿搬送部３が所定角度以上開かれたままのとき、第３推定サイズと第４推定サイズは取得できない（図１９参照）。そこで、原稿搬送部３が所定角度以上開かれたままでも求めることができる第１推定サイズと第２推定サイズに基づき、制御部１は、第１主走査サイズを定める。
【０１０３】
また、第１読取指示前に原稿搬送部３が所定角度以上開いた状態から所定角度未満となるまで閉じられたが、原稿搬送部３が完全に閉じられないまま第１読取指示がなされたとき、制御部は、第１推定サイズと第３推定サイズのうち、小さい方を第１主走査サイズと定める。原稿搬送部３が完全に閉じられなければ、第４推定サイズは取得できない。そこで、原稿搬送部３が完全に閉じられなくても求めることができる第１推定サイズと第３推定サイズに基づき、制御部１は、第１主走査サイズを定める（図１９参照）。
【０１０４】
原稿搬送部３が所定角度以上開いた後、第１読取指示前に原稿搬送部３が完全に閉じられたとき、制御部は、第１推定サイズと前記第３推定サイズのうちの小さい方のサイズと、第４推定サイズのうち、大きい方を第１主走査サイズと定める。原稿搬送部３が完全に閉じられたときに取得できる第４推定サイズを用いて、第１主走査サイズを定めることができる（図１９参照）。
【０１０５】
（第２主走査サイズの決定）
次に、図１６を用いて、実施形態に係る第２主走査サイズの決定の一例を説明する。図１６は、実施形態に係る第２主走査サイズの決定手法の一例を示す図である。
【０１０６】
第１面の全体（特定領域）の読み取り後、第２読取指示がなされるまで、原稿搬送部３が完全に閉じられる場合と閉じられない場合がある。何れの場合でも、正確な第２主走査サイズを求めることが好ましい。そこで、図１６に示すように、第１面の全体の読み取り後、原稿搬送部３が所定角度以上開いた後、第２読取指示前に一度も原稿搬送部３が所定角度未満とならなかった場合、制御部１は、第５推定サイズと第６推定サイズのうち、小さい方を第２主走査サイズと定める。原稿搬送部３が所定角度以上開かれたままのとき、第７推定サイズと第８推定サイズは取得できない（図１９参照）。そこで、原稿搬送部３が所定角度以上開かれたままでも求めることができる第５推定サイズと第６推定サイズに基づき、制御部１は、第２主走査サイズを定める。
【０１０７】
また、第１面の全体の読み取り後、第２読取指示前に原稿搬送部３が所定角度以上開いた状態から所定角度未満となるまで閉じられたが、原稿搬送部３が完全に閉じられないまま第２読取指示がなされたとき、制御部は、第５推定サイズと第７推定サイズのうち、小さい方を第２主走査サイズと定める。原稿搬送部３が完全に閉じられなければ、第８推定サイズは取得できない（図１９参照）。そこで、原稿搬送部３が完全に閉じられなくても求めることができる第５推定サイズと第７推定サイズに基づき、制御部１は第２主走査サイズを定める。
【０１０８】
第１面の全体の読み取り後、第２読取指示前に、原稿搬送部３が所定角度以上開いた後、原稿搬送部３が完全に閉じられたとき、制御部は、第５推定サイズと第７推定サイズのうちの小さい方のサイズと、第８推定サイズのうち、大きい方を第２主走査サイズと定める。原稿搬送部３が完全に閉じられたときに取得できる第８推定サイズを用いて、第２主走査サイズを定めることができる（図１９参照）。
【０１０９】
（両面特別モードでの出力）
次に、図１７、図１８を用いて、実施形態に係る両面特別モードでの出力の一例を説明する。図１７は、実施形態に係る両面特別モードでの出力の一例を示す図である。図１８は、実施形態に係る出力用画像データＤ１の一例を示す図である。
【０１１０】
複合機１００は印刷部６と通信部６０を含む。印刷部６は、原稿を読み取って得られた画像データに基づき印刷を行える。通信部６０は、原稿を読み取って得られた画像データを設定された宛先に送信できる。印刷部６と通信部６０は画像データに基づき出力を行う出力部として機能する。
【０１１１】
両面特別モードでは、第１読取指示がなされたとき、制御部１は、第１読取画像データを生成する。また、第２読取指示がなされたとき、制御部１は、第２読取画像データを生成する。第１読取画像データは原稿の第１面全体を含む。第２読取画像データは原稿の第２面全体を含む。両面特別モードのとき、制御部１は、これらの読取画像データを加工し、１つの出力用画像データＤ１を生成する。出力用画像データＤ１は、印刷部６又は通信部６０に出力を行わせるための画像データである。
【０１１２】
図１７を用いて実施形態に係る両面特別モードでの出力の流れの一例を説明する。図１７のスタートは、原稿の確定副走査サイズＳ１と確定主走査サイズＳ２の判定が完了した時点である。まず、制御部１は、特定領域Ｆ１の読み取りで得られた第１読取画像データから第１切り抜き画像データｉ１を抜き出す（ステップ♯６１）。また、制御部１は、特定領域Ｆ１の読み取りで得られた第２読取画像データから第２切り抜き画像データｉ２を抜き出す（ステップ♯６２）。
【０１１３】
第１切り抜き画像データｉ１と第２切り抜き画像データｉ２の主走査方向と副走査方向のサイズは、それぞれ同じである（図１８参照）。第１切り抜き画像データｉ１と第２切り抜き画像データｉ２の副走査方向のサイズは、判定した確定副走査サイズＳ１である。第１切り抜き画像データｉ１と第２切り抜き画像データｉ２の主走査方向のサイズは、判定した確定主走査サイズＳ２である。
【０１１４】
そして、制御部１は、第１読取画像データから、基準点Ｐに対応する画素を含むように、第１切り抜き画像データｉ１を抜き出す。この場合、制御部１は、第１読取画像データの左上隅と第１切り抜き画像データｉ１の左上隅が一致するように、第１切り抜き画像データｉ１を抜き出す。また、制御部１は、第２読取画像データから、基準点Ｐに対応する画素を含むように、第２切り抜き画像データｉ２を抜き出す。この場合、制御部１は、第２読取画像データの左上隅と第２切り抜き画像データｉ２の左上隅が一致するように、第２切り抜き画像データｉ２を抜き出す。制御部１は、原稿の内容が含まれるように、画像データを切り出す。
【０１１５】
そして、制御部１は、第１切り抜き画像データｉ１と第２切り抜き画像データｉ２を１ページにまとめた出力用画像データＤ１を生成する（ステップ♯６３）。なお、操作パネル５は、出力用画像データＤ１のサイズの設定を受け付ける。制御部１は、設定されたサイズの出力用画像データＤ１を生成する。
【０１１６】
制御部１は、まず、無地（真っ白、空白）の出力用画像データＤ１を生成する。制御部１は、出力用画像データＤ１内に第１切り抜き画像データｉ１用の領域と第２切り抜き画像データｉ２用の領域を設定する。第１切り抜き画像データｉ１用の領域と第２切り抜き画像データｉ２用の領域のサイズは同じである。そして、制御部１は、第１切り抜き画像データｉ１用の領域に第１切り抜き画像データｉ１を貼りつける（コピーする）。また、制御部１は、第２切り抜き画像データｉ２用の領域に第２切り抜き画像データｉ２を貼りつける（コピーする）。
【０１１７】
図１８は、出力用画像データＤ１の一例を示す。制御部１は、センタリングした出力用画像データＤ１を生成する。具体的に、制御部１は、第１切り抜き画像データｉ１用の領域の中心と、第１切り抜き画像データｉ１の中心が一致するように、第１切り抜き画像データｉ１を貼りつける。また、制御部１は、第２切り抜き画像データｉ２用の領域の中心と、第２切り抜き画像データｉ２の中心が一致するように、第２切り抜き画像データｉ２を貼りつける。なお貼りつけ位置は、センタリングに限られない。右寄せ、または、左寄せで各切り抜き画像データが貼りつけられてもよい。
【０１１８】
そして、制御部１は、出力用画像データＤ１に基づく出力を行わせる（ステップ♯６４）。操作パネル５は出力（ジョブの種類）の選択を受け付ける。例えば、印刷出力が選択されたとき、制御部１は、出力用画像データＤ１に基づく印刷を印刷部６に行わせる。送信出力が選択されたとき、制御部１は、出力用画像データＤ１を通信部６０に送信させる。なお、制御部１は操作パネル５で設定された宛先に向けて、通信部６０に送信させる。
【０１１９】
このようにして、実施形態に係る画像読取装置（複合機１００）は画像読取部４、原稿押さえ部（原稿搬送部３）、操作パネル５、画像データ生成部１１、制御部１を含む。  画像読取部４は、読み取る原稿が置かれる原稿台４ｂと、原稿台４ｂに向けて光を照射する光源４５と、光源４５からの光に基づき読み取りを行うイメージセンサー４６を含む。原稿押さえ部は、原稿台４ｂに置かれた原稿を押さえる押さえ板３ｉを含む。原稿押さえ部は、開閉可能である。操作パネル５は、読み取りモードの選択を受け付ける。画像データ生成部１１は、イメージセンサー４６が出力するアナログ画像信号に基づき画像データを生成する。制御部１は、画像データ生成部１１が生成した画像データに基づき、原稿台４ｂに置かれた原稿のサイズを判定する。読み取りモードとして、特別な原稿の両面を読み取る両面特別モードが選択されている場合、制御部１は、原稿の一方の面である第１面を読み取って得られた第１読取画像データに基づき、第１面の副走査方向のサイズである第１副走査サイズを求める。制御部１は、原稿の他方の面である第２面を読み取って得られた第２読取画像データに基づき、第２面の副走査方向のサイズである第２副走査サイズを求める。制御部１は、求めた第１副走査サイズと求めた第２副走査方向サイズのうち、大きい方を原稿台４ｂにセットされた原稿の副走査方向のサイズである確定副走査サイズＳ１と判定する。
【０１２０】
原稿の片面の色が暗い（濃い）色のため、正確に原稿のサイズを判定できないことがある。実際のサイズよりも小さく判定してしまうことがある。一方、カードのような原稿では、両面とも暗い（濃い）色であることは少ない。原稿の片側の色が濃くても、もう片側の色は、薄い（白い）ことが多い。例えば、ＩＤカード、クレジットカード、キャッシュカードなどでは、名前や注意書きを記入するため、下地色が白であることが多い。そこで、本発明によれば、原稿の一面に対応する第１副走査サイズと、原稿の他面に対応する第２副走査サイズのうち、大きい方を原稿の副走査方向のサイズとすることができる。両面特別モードにおいて、原稿の各面の副走査方向のサイズを正確に判定することができる。
【０１２１】
原稿押さえ部が開いているとき、室内光（外乱光、照明光）は原稿台４ｂにも入射される。室内光には、室内の照明器具からの光や、部屋の窓から入る太陽光がある。そして、原稿押さえ部が開いている状態で原稿読み取りがなされることがある。原稿押さえ部の回転軸３２が装置奥側に設けられているとき、原稿台４ｂのうち、装置正面側ほど原稿台４ｂに入射する室内光が多くなる。一方、原稿押さえ部が開いているとき、装置奥側ほど、原稿押さえ部と原稿台４ｂの距離は近い。原稿台４ｂのうち、装置奥側ほど原稿台４ｂに入射する室内光が少なくなる。原稿押さえ部が開いているとき、画像データのうち、原稿のない部分に対応する画素の画素値は、装置奥側の画素ほど暗い値になりやすい。
【０１２２】
そして、本実施形態の画像読取装置では、原稿押さえ部の回転軸３２は、画像読取部４を正面から見て、奥側に設けられる。原稿押さえ部は、開閉したとき、正面側が振られる。制御部１は、第１読取画像データのうち、原稿台４ｂの予め定められた判定用エリアＡ１に対応する特定エリアに含まれる画素の画素値に基づき、第１副走査サイズを求める。制御部１は、第２読取画像データのうち、原稿台４ｂの判定用エリアＡ１に対応する特定エリアに含まれる画素の画素値に基づき、第２副走査サイズを求める。判定用エリアＡ１は、副走査方向を長手方向とする短冊状である。判定用エリアＡ１は、主走査方向の幅が予め定められている。判定用エリアＡ１は、画像読取部４を正面から見たときの原稿台４ｂの奥側の副走査方向の端を含むエリアである。画像データのうち、装置奥側のエリアに対応する範囲に含まれる画素の画素値に基づき、副走査方向のサイズを判定することができる。室内光が入りづらく、原稿の有無がわかりやすい範囲の画素値（画像データ）に基づき、副走査方向のサイズを判定することができる。原稿の各面の副走査方向のサイズを正確に判定することができる。
【０１２３】
読み取りモードとして、両面特別モードが選択されている場合、操作パネル５は、第１面の全体の読取開始指示である第１読取指示を受け付ける。また、操作パネル５は、第１読取指示に基づく第１面の全体の読み取り後、第２面の全体の読取開始指示である第２読取指示を受け付ける。制御部１は、第１読取指示に基づく第１面の全体の読み取りの開始前、及び第１面の全体の読み取り後、第２読取指示前、画像読取部４の読取ラインの位置を予め定められた検知用位置Ｌ３とする。制御部１は、第１読取指示に基づく第１面の全体の読み取りの開始前の読み取りで得られた第１検知用画像データに基づき、第１面の主走査方向のサイズである第１主走査サイズを求める。制御部１は、第１面の全体の読み取り後、第２面の全体の読み取りの開始前の読み取りで得られた第２検知用画像データに基づき、第２面の主走査方向のサイズである第２主走査サイズを求める。制御部１は、第１主走査サイズと第２主走査方向サイズのうち、大きい方を原稿台４ｂにセットされた原稿の主走査方向のサイズである確定主走査サイズＳ２と判定する。原稿の一面に対応する第１主走査サイズと、原稿の他面に対応する第２主走査サイズのうち、大きい方を原稿の主走査方向のサイズとすることができる。原稿の色が濃い色のため、誤って小さく求めたサイズを主走査方向のサイズとして採用しない。両面特別モードにおいて、原稿の各面の主走査方向のサイズを正確に判定することができる。
【０１２４】
画像読取装置（複合機１００）は原稿押さえ部が所定角度以上開いていること、及び、原稿押さえ部（原稿搬送部３）が所定角度未満となるまで閉じられたことを検知する第１開閉検知部７ａを含む。第１読取指示に基づく第１面の全体の読み取りの開始前、第１開閉検知部７ａの出力に基づき原稿押さえ部が所定角度以上開いていることを認識したとき、制御部１は、光源４５を点灯させずに画像読取部４に読み取りを行わせる。原稿押さえ部が所定角度以上開いているときの読み取りで得られた第１検知用画像データに基づき、制御部１は、第１面の主走査方向のサイズの推定値である第１推定サイズを求める。操作パネル５が第１読取指示を受け付けたとき、制御部１は、読取ラインの位置が検知用位置Ｌ３にある状態で、光源４５を点灯させて画像読取部４に読み取りを行わせる。操作パネル５が第１読取指示を受け付けたときの読み取りで得られた第１検知用画像データに基づき、制御部１は、第１面の主走査方向のサイズの推定値である第２推定サイズを求める。第１読取指示前に原稿押さえ部が所定角度以上開いた後、第１読取指示までに一度も原稿押さえ部が所定角度未満とならなかった場合、制御部１は、第１推定サイズと第２推定サイズのうち、小さい方を第１主走査サイズと定める。原稿押さえ部が閉じられることなく第１読取指示がなされたとき、取得できる第１推定サイズと第２推定サイズを比較して、第１主走査サイズを定めることができる。正確な第１面の主走査方向のサイズを求めることができる。
【０１２５】
画像読取装置（複合機１００）は、原稿押さえ部が完全に閉じられたことを検知する第２開閉検知部７ｂを含む。制御部１は、第１読取指示前に第１開閉検知部７ａの出力に基づき原稿押さえ部が所定角度未満となるまで閉じられたことを認識したとき、光源４５を点灯させて画像読取部４に読み取りを行わせる。原稿押さえ部が所定角度未満となるまで閉じられたときの読み取りで得られた第１検知用画像データに基づき、制御部１は、第１面の主走査方向のサイズの推定値である第３推定サイズを求める。原稿押さえ部が所定角度未満となるまで閉じられているが、原稿押さえ部が完全に閉じられないで第１読取指示がなされたとき、制御部１は、第１推定サイズと第３推定サイズのうち、小さい方を第１主走査サイズと定める。原稿押さえ部がある程度閉じられて第１読取指示がなされたとき、取得できる第１推定サイズと第３推定サイズを比較して、第１主走査サイズを定めることができる。正確な第１面の主走査方向のサイズを求めることができる。
【０１２６】
第１読取指示前、第２開閉検知部７ｂの出力に基づき原稿押さえ部が完全に閉じられたことを認識したとき、制御部１は、光源４５を点灯させて画像読取部４に読み取りを行わせる。原稿押さえ部が完全に閉じられたときの読み取りで得られた第１検知用画像データに基づき、制御部１は、第１面の主走査方向のサイズの推定値である第４推定サイズを求める。制御部１は、第１推定サイズと第３推定サイズのうちの小さい方のサイズと、第４推定サイズのうち、大きい方を第１主走査サイズと定める。原稿押さえ部が完全に閉じられて第１読取指示がなされたとき、３つの推定サイズを比較して、第１主走査サイズを定めることができる。正確な第１面の主走査方向のサイズを求めることができる。
【０１２７】
第１読取指示に基づく第１面の全体の読み取り後、第２読取指示前、第１開閉検知部７ａの出力に基づき原稿押さえ部が所定角度以上開いていることを認識したとき、制御部１は、光源４５を点灯させずに画像読取部４に読み取りを行わせる。原稿押さえ部が所定角度以上開いているときの読み取りで得られた第２検知用画像データに基づき、制御部１は、第２面の主走査方向のサイズの推定値である第５推定サイズを求める。操作パネル５が第２読取指示を受け付けたとき、制御部１は、読取ラインの位置が検知用位置Ｌ３にある状態で、光源４５を点灯させて画像読取部４に読み取りを行わせる。操作パネル５が第２読取指示を受け付けたときの読み取りで得られた第２検知用画像データに基づき、制御部１は、第２面の主走査方向のサイズの推定値である第６推定サイズを求める。第１読取指示に基づく第１面の全体の読み取り後から第２読取指示までの間に、原稿押さえ部が所定角度以上開いた後、一度も原稿押さえ部が所定角度未満とならなかった場合、制御部１は、第５推定サイズと第６推定サイズのうち、小さい方を第２主走査サイズと定める。原稿押さえ部が閉じられることなく第２読取指示がなされたとき、取得できる第５推定サイズと第６推定サイズを比較して、第２主走査サイズを定めることができる。正確な第２面の主走査方向のサイズを求めることができる。
【０１２８】
第１読取指示に基づく第１面の全体の読み取り後、第２読取指示前、第１開閉検知部７ａの出力に基づき原稿押さえ部が所定角度未満となるまで閉じられたことを認識したとき、制御部１は、光源４５を点灯させて画像読取部４に読み取りを行わせる。原稿押さえ部が所定角度未満となるまで閉じられたときの読み取りで得られた第２検知用画像データに基づき、制御部１は、第２面の主走査方向のサイズの推定値である第７推定サイズを求める。原稿押さえ部が所定角度未満となるまで閉じられているが、原稿押さえ部が完全に閉じられないで第２読取指示がなされたとき、制御部１は、第５推定サイズと第７推定サイズのうち、小さい方を第２主走査サイズと定める。
【０１２９】
第１読取指示に基づく第１面の全体の読み取り後、第２読取指示前、第２開閉検知部７ｂの出力に基づき原稿押さえ部が完全に閉じられたことを認識したとき、制御部１は、光源４５を点灯させて画像読取部４に読み取りを行わせる。原稿押さえ部が完全に閉じられたときの読み取りで得られた第２検知用画像データに基づき、制御部１は、第２面の主走査方向のサイズの推定値である第８推定サイズを求める。制御部１は、第５推定サイズと第７推定サイズのうちの小さい方のサイズと、第８推定サイズのうち、大きい方を第２主走査サイズと定める。原稿押さえ部が完全に閉じられて第２読取指示がなされたとき、３つの推定サイズを比較して、第２主走査サイズを定めることができる。正確な第２面の主走査方向のサイズを求めることができる。
【０１３０】
画像読取装置は、出力用画像データＤ１に基づき出力を行う出力部を含む。第１読取指示に基づき第１面の全体を読み取るとき、制御部１は、原稿台４ｂのうち特定領域Ｆ１の読み取りを画像読取部４に行わせる。制御部１は、特定領域Ｆ１の読み取りで得られた第１読取画像データから第１切り抜き画像データｉ１を抜き出す。第２読取指示に基づき第２面の全体を読み取るとき、制御部１は、特定領域Ｆ１の読み取りを画像読取部４に行わせる。制御部１は、特定領域Ｆ１の読み取りで得られた第２読取画像データから第２切り抜き画像データｉ２を抜き出す。制御部１は、第１切り抜き画像データｉ１と第２切り抜き画像データｉ２を１ページにまとめた出力用画像データＤ１を生成する。制御部１は、出力用画像データＤ１に基づく出力を出力部に行わせる。第１切り抜き画像データｉ１と第２切り抜き画像データｉ２の副走査方向のサイズは、確定副走査サイズＳ１である。第１切り抜き画像データｉ１と第２切り抜き画像データｉ２の主走査方向のサイズは、確定主走査サイズＳ２である。第１読取画像データと第２読取画像データから、原稿部分を抜き出すことができる。正確な原稿のサイズが判定されるので、原稿の内容を各読取画像データから適切に抜き出すことができる。切り抜きの際に原稿の内容の一部が失われることがない。また、余分な部分も切り抜いてしまうこともない。さらに、抜き出した各部分を１ページにまとめた画像データを生成することができる。原稿の第１面と第２面の内容がまとめられた出力結果を得ることができる。
【０１３１】
制御部１は、第１読取画像データから、原稿台４ｂの基準点Ｐに対応する画素を含むように、第１切り抜き画像データｉ１を抜き出す。制御部１は、第２読取画像データから、原稿台４ｂの基準点Ｐに対応する画素を含むように、第２切り抜き画像データｉ２を抜き出す。基準点Ｐは、画像読取部４を正面から見て、原稿台４ｂの左奥隅である。原稿台４ｂのうち、原稿セットの基準点Ｐにあわせ、第１読取画像データと第２読取画像データから原稿部分を抜き出すことができる。各読取画像データから原稿部分を的確に抜き出すことができる。
【０１３２】
本発明の実施形態を説明したが、本発明の範囲はこれに限定されるものではなく、発明の主旨を逸脱しない範囲で種々の変更を加えて実施することができる。
【産業上の利用可能性】
【０１３３】
本発明は、画像読取装置（画像形成装置）に利用可能である。
【図１】
2020080242.tif 000003
【図２】
2020080242.tif 000004
【図３】
2020080242.tif 000005
【図４】
2020080242.tif 000006
【図５】
2020080242.tif 000007
【図６】
2020080242.tif 000008
【図７】
2020080242.tif 000009
【図８】
2020080242.tif 000010
【図９】
2020080242.tif 000011
【図１０】
2020080242.tif 000012
【図１１】
2020080242.tif 000013
【図１２】
2020080242.tif 000014
【図１３】
2020080242.tif 000015
【図１４】
2020080242.tif 000016
【図１５】
2020080242.tif 000017
【図１６】
2020080242.tif 000018
【図１７】
2020080242.tif 000019
【図１８】
2020080242.tif 000020
【図１９】
2020080242.tif 000021
【国際調査報告】
2020080242.tif 000022
2020080242.tif 000023
2020080242.tif 000024